(57)【要約】【要約書】  【課題】従来の音響再生システムにおいては、リスナーにとっての映画等を視聴する方向が変わった場合には、スピーカの配線やスピーカの設置位置を変更する必要があった。【解決手段】使用するモニタ２２やスクリーン４４等の画面位置に応じて、各スピーカ１３乃至１９に出力するチャンネル音声信号を切り替えるようにしているので、リスナー２０が視聴方向を変えたとしても、各スピーカ１３乃至１９への音声信号配線や各スピーカ１３乃至１９の設置位置の変更を行う必要がない。  【選択図】  図１    
2005027295.tif 000002
【特許請求の範囲】
【請求項１】
少なくともフロント右チャンネル音声信号とフロント左チャンネル音声信号とサラウンド右チャンネル音声信号とサラウンド左チャンネル音声信号を生成する音声再生手段と、少なくともフロント右スピーカとフロント左スピーカとサラウンド右スピーカとサラウンド左スピーカが接続され音声再生手段で生成される各チャンネル音声信号を各スピーカに選択的に切り替えて供給するチャンネル信号切替手段と、チャンネル信号切替手段における切り替え動作を制御する制御手段とを備え、
チャンネル信号切替手段は、
フロント右チャンネル音声信号をフロント右スピーカに、フロント左チャンネル音声信号をフロント左スピーカに、サラウンド右チャンネル音声信号をサラウンド右スピーカに、サラウンド左チャンネル音声信号をサラウンド左スピーカに供給するように、
又は、フロント右チャンネル音声信号をサラウンド左スピーカに、フロント左チャンネル音声信号をサラウンド右スピーカに、サラウンド右チャンネル音声信号をフロント左スピーカに、サラウンド左チャンネル音声信号をフロント右スピーカに供給するように切り替え動作することを特徴とする音響再生装置。
【請求項２】
前記音声再生手段はセンタチャンネル音声信号の生成、及び前記制御手段によるチャンネル信号切り替え動作制御に関連してフロント右チャンネル音声信号とフロント左チャンネル音声信号へのセンタチャンネル音声信号の振り分けを行い、前記チャンネル信号切替手段はセンタスピーカが接続され該センタスピーカへチャンネル音声信号を選択的に供給するように切り替え動作を行い、
前記チャンネル信号切替手段は、前記制御手段によるチャンネル信号切替手段の切り替え動作制御に応じて、
センタチャンネル音声信号をセンタスピーカに供給するように、
又は、センタチャンネル音声信号が振り分けられたフロント右チャンネル音声信号をサラウンド左スピーカに、センタチャンネル音声信号が振り分けられたフロント左チャンネル音声信号をサラウンド右スピーカに供給するように切り替え動作することを特徴とする請求項１に記載の音響再生装置。
【請求項３】
前記音声再生手段はセンタチャンネル音声信号とサラウンドバックチャンネル音声信号を生成し、前記チャンネル信号切替手段はセンタスピーカとサラウンドバックスピーカが接続されこれらスピーカへのチャンネル音声信号の供給を行うように切り替え動作を行い、
前記チャンネル信号切替手段は、前記制御手段によるチャンネル信号切替手段の切り替え動作の制御に応じて、
センタチャンネル音声信号をセンタスピーカに、サラウンドバックチャンネル音声信号をサラウンドバックスピーカに供給するように、
又は、センタチャンネル音声信号をサランドバックスピーカに、サラウンドバックチャンネル音声信号をセンタスピーカに供給するように切り替え動作することを特徴とする請求項１に記載の音響再生装置。
【請求項４】
リモコンから送信された制御信号を受信するリモコン受信手段と、
前記サラウンドバックスピーカに設けられ、リモコンから送信された制御信号を受信するスピーカリモコン受信手段とを備え、
前記リモコン受信手段及びスピーカリモコン受信手段は前記制御手段に制御信号を出力することを特徴とする請求項３に記載の音響再生装置。
【請求項５】
前記リモコン受信手段と前記スピーカリモコン受信手段とから出力される制御信号を前記制御手段に選択的に出力する制御信号切替手段を備え、
前記制御手段は、前記チャンネル信号切替手段の切り替え動作に応じて前記制御信号切替手段における切り替え動作を制御することを特徴とする請求項４に記載の音響再生装置。
【請求項６】
少なくともフロント右チャンネル音声信号とフロント左チャンネル音声信号とサラウンド右チャンネル音声信号とサラウンド左チャンネル音声信号を生成する音声再生手段と、少なくともフロント右スピーカとフロント左スピーカとサラウンド右スピーカとサラウンド左スピーカが接続され音声再生手段で生成される各チャンネル音声信号を各スピーカに選択的に切り替えて供給するチャンネル信号切替手段と、チャンネル信号切替手段における切り替え動作を制御する制御手段とを備え、
チャンネル信号切替手段は、
フロント右チャンネル音声信号をフロント右スピーカに、フロント左チャンネル音声信号をフロント左スピーカに、サラウンド右チャンネル音声信号をサラウンド右スピーカに、サラウンド左チャンネル音声信号をサラウンド左スピーカに供給するように、
又は、フロント右チャンネル音声信号をサラウンド右スピーカに、フロント左チャンネル音声信号をフロント右スピーカに、サラウンド右チャンネル音声信号をサラウンド左スピーカに、サラウンド左チャンネル音声信号をフロント左スピーカに供給するように、
又は、フロント右チャンネル音声信号をフロント左スピーカに、フロント左チャンネル音声信号をサラウンド左スピーカに、サラウンド右チャンネル音声信号をフロント右スピーカに、サラウンド左チャンネル音声信号をサラウンド右スピーカに供給するように切り替え動作することを特徴とする音響再生装置。
【請求項７】
前記音声再生手段はセンタチャンネル音声信号の生成、及び前記制御手段によるチャンネル信号切り替え動作制御に関連してフロント右チャンネル音声信号とフロント左チャンネル音声信号へのセンタチャンネル音声信号の振り分けを行い、前記チャンネル信号切替手段はセンタスピーカが接続され該センタスピーカへチャンネル音声信号を選択的に供給するように切り替え動作を行い、
前記チャンネル信号切替手段は、前記制御手段によるチャンネル信号切替手段の切り替え動作の制御に応じて、
センタスピーカにセンタチャンネル音声信号を供給するように、
又は、センタチャンネル音声信号が振り分けられたフロント右チャンネル音声信号をサラウンド右スピーカに、センタチャンネル音声信号が振り分けられたフロント左チャンネル音声信号をフロント右スピーカに供給するように、
又は、センタチャンネル音声信号が振り分けられたフロント右チャンネル音声信号をフロント左スピーカに、センタチャンネル音声信号が振り分けられたフロント左チャンネル音声信号をサラウンド左スピーカに供給するように切り替え動作することを特徴とする請求項６に記載の音響再生装置。
【請求項８】
前記音声再生手段はサラウンドバックチャンネル音声信号の生成、及び前記制御手段によるチャンネル信号切り替え動作制御に関連してサラウンド右チャンネル音声信号とサラウンド左チャンネル音声信号へのサラウンドバックチャンネル音声信号の振り分けを行い、前記チャンネル信号切替手段はサラウンドバックスピーカが接続され該サラウンドバックスピーカへサラウンドバックチャンネル音声信号を選択的に供給するように切り替え動作を行い、
前記チャンネル信号切替手段は、前記制御手段によるチャンネル信号切替手段の切り替え動作の制御に応じて、
サラウンドバックチャンネル音声信号をサラウンドバックスピーカに供給するように、
又は、サラウンドバック音声信号が振り分けられたサラウンド右チャンネル音声信号をサラウンド左スピーカに、サラウンドバック音声信号が振り分けられたサラウンド左チャンネル音声信号をフロント左スピーカに供給するように、
又は、サラウンドバック音声信号が振り分けられたサラウンド右チャンネル音声信号をフロント右スピーカに、サラウンドバック音声信号が振り分けられたサラウンド左チャンネル音声信号をサラウンド右スピーカに供給するように切り替え動作することを特徴とする請求項７に記載の音響再生装置。
【請求項９】
前記音声再生手段は重低音チャンネル音声信号を生成し、前記チャンネル信号切替手段は重低音スピーカが接続され重低音スピーカへ重低音チャンネル音声信号の供給を行い、前記制御手段はチャンネル信号切替手段が重低音チャンネル音声信号を重低音スピーカに供給するように制御することを特徴とする請求項１乃至８のいずれかに記載の音響再生装置。
【発明の詳細な説明】
【技術分野】
【０００１】
本発明は、例えばドルビーデジタルに代表されるマルチチャンネルの音声信号を再生する音響再生装置に関するものである。
【背景技術】
【０００２】
従来の音響再生システムとして、例えばドルビー社が提案したドルビーサラウンドシステムが知られている。このシステムは、記録媒体としての光ディスクに、例えば６．１チャネルのマルチチャンネルのサラウンド音声信号が記録され、この音声信号がこの音響再生システムに適合した音響再生装置によってリスナー前方の３つのスピーカ、リスナー後方の３つのスピーカ、及び重低音スピーカから同時に再生され、臨場感溢れる音場がリスナーの回りに形成されるシステムである（例えば非特許文献１参照）。
【０００３】
図６は、ブラウン管モニタ、液晶プロジェクタ等を併設し、６．１チャンネルの音声信号を出力する音響再生システムの概略構成図である。この構成においては、６．１チャンネルのパワーアンプを搭載するメインユニット１２がブラウン管モニタ１０近辺に設置され、そのメインユニット１２より各スピーカ（フロント左スピーカ１、センタスピーカ２、フロント右スピーカ３、サラウンド左スピーカ４、サラウンドバックスピーカ５、サラウンド右スピーカ６、重低音スピーカ７）への音声信号配線（図示しない）が放射線状に配線される。また、映像信号配線（図示しない）によりメインユニット１２とブラウン管モニタ１０、及び液晶プロジェクタ９は結線される。              
【０００４】
そして、液晶プロジェクタ９からの映像を投影するスクリーン１１は、ブラウン管モニタ１０の近傍に設けられ、リスナー８はＡ方向を向いて視聴する。
【０００５】
このような従来の音響再生システムの構成においては、以下のような不都合があった。即ち、ブラウン管モニタ１０の近傍にスクリーン１１を設けているので、液晶プロジェクタ９はブラウン管モニタ１０から離れた位置に設けなくてはならない。そうすると、メインユニット１２からブラウン管モニタ１０への映像信号配線と、メインユニット１２から液晶プロジェクタ９への映像信号配線の合計の長さが長くなると共に、これらの配線が床を這うために部屋の美観を損ねてしまう。また、スクリーン１１がブラウン管モニタ１０の前面に設置される場合には、狭い部屋では液晶プロジェクタ９とスクリーン１１との距離を充分に取ることができない。
【０００６】
そこで、このような問題を解決するために、図７に示すように、スクリーン１１´に投影される映像を見るときはリスナー８´がＢ方向を向いて視聴するように、ブラウン管モニタ１０´の近傍に液晶プロジェクタ９´を設置する構成が考えられる。この構成によれば、映像信号配線を長く引き回す必要がないと共に、壁にスクリーン１１´を設置可能となり、液晶プロジェクタ９´とスクリーン１１´との距離を十分に確保することができる。
【発明の開示】
【発明が解決しようとする課題】
【０００７】
しかしながら、この構成では、ブラウン管モニタ１０´を用いて視聴する場合と液晶プロジェクタ９´を用いて視聴する場合とでリスナー８´にとってのスピーカの位置が変わってしまう。例えば、リスナーがＡ方向を向いているときに図６のフロント左スピーカ１が設置してある位置には、Ｂ方向を向いたときには図７に示すようにサラウンド右スピーカ６´が設置されなければならない。この問題を解決するにはブラウン管モニタ１０´を使用する場合（Ａ方向）と液晶プロジェクタ９´を使用する場合（B方向）とで各種スピーカ（フロント左スピーカ１´、センタスピーカ２´、フロント右スピーカ３´、サラウンド左スピーカ４´、サラウンドバックスピーカ５´、サラウンド右スピーカ６´）の設置位置を変更するか、メインユニット１２´から放射状に出る音声信号配線の結線を入れ替えなければならない。しかしながら、このような各種スピーカの配線や設置位置の変更には多くの手間と労力を必要とし、面倒である。
【０００８】
本発明はこのような問題点を解決し、リスナーの視聴方向が変わってもスピーカの配線変更やスピーカの設置位置の変更を不要とするものである。
【非特許文献１】小林洋一・豊田廣  はじめてのオーディオ入門  成美堂出版、  ２００３年１月１０日、  Ｐ．８２
【課題を解決するための手段】
【０００９】
請求項１に記載の音響再生装置は、少なくともフロント右チャンネル音声信号とフロント左チャンネル音声信号とサラウンド右チャンネル音声信号とサラウンド左チャンネル音声信号を生成する音声再生手段と、少なくともフロント右スピーカとフロント左スピーカとサラウンド右スピーカとサラウンド左スピーカが接続され音声再生手段で生成される各チャンネル音声信号を各スピーカに選択的に切り替えて供給するチャンネル信号切替手段と、チャンネル信号切替手段における切り替え動作を制御する制御手段とを備え、
チャンネル信号切替手段は、
フロント右チャンネル音声信号をフロント右スピーカに、フロント左チャンネル音声信号をフロント左スピーカに、サラウンド右チャンネル音声信号をサラウンド右スピーカに、サラウンド左チャンネル音声信号をサラウンド左スピーカに供給するように、
又は、フロント右チャンネル音声信号をサラウンド左スピーカに、フロント左チャンネル音声信号をサラウンド右スピーカに、サラウンド右チャンネル音声信号をフロント左スピーカに、サラウンド左チャンネル音声信号をフロント右スピーカに供給するように切り替え動作することを特徴とする。
【００１０】
請求項２に記載の発明は、請求項１に記載の音響再生装置において、前記音声再生手段はセンタチャンネル音声信号の生成、及び前記制御手段によるチャンネル信号切り替え動作制御に関連してフロント右チャンネル音声信号とフロント左チャンネル音声信号へのセンタチャンネル音声信号の振り分けを行い、前記チャンネル信号切替手段はセンタスピーカが接続され該センタスピーカへチャンネル音声信号を選択的に供給するように切り替え動作を行い、
前記チャンネル信号切替手段は、前記制御手段によるチャンネル信号切替手段の切り替え動作制御に応じて、
センタチャンネル音声信号をセンタスピーカに供給するように、
又は、センタチャンネル音声信号が振り分けられたフロント右チャンネル音声信号をサラウンド左スピーカに、センタチャンネル音声信号が振り分けられたフロント左チャンネル音声信号をサラウンド右スピーカに供給するように切り替え動作することを特徴とする。
【００１１】
請求項３に記載の発明は、請求項１に記載の音響再生装置において、前記音声再生手段はセンタチャンネル音声信号とサラウンドバックチャンネル音声信号を生成し、前記チャンネル信号切替手段はセンタスピーカとサラウンドバックスピーカが接続されこれらスピーカへのチャンネル音声信号の供給を行うように切り替え動作を行い、
前記チャンネル信号切替手段は、前記制御手段によるチャンネル信号切替手段の切り替え動作の制御に応じて、
センタチャンネル音声信号をセンタスピーカに、サラウンドバックチャンネル音声信号をサラウンドバックスピーカに供給するように、
又は、センタチャンネル音声信号をサランドバックスピーカに、サラウンドバックチャンネル音声信号をセンタスピーカに供給するように切り替え動作することを特徴とする。
請求項４に記載の発明は、請求項３に記載の音響再生装置において、リモコンから送信された制御信号を受信するリモコン受信手段と、
前記サラウンドバックスピーカに設けられ、リモコンから送信された制御信号を受信するスピーカリモコン受信手段とを備え、
前記リモコン受信手段及びスピーカリモコン受信手段は前記制御手段に制御信号を出力することを特徴とする。
請求項５に記載の発明は、請求項４に記載の音響再生装置において、前記リモコン受信手段と前記スピーカリモコン受信手段とから出力される制御信号を前記制御手段に選択的に出力する制御信号切替手段を備え、
前記制御手段は、前記チャンネル信号切替手段の切り替え動作に応じて前記制御信号切替手段における切り替え動作を制御することを特徴とする。
【００１２】
請求項６に記載の音響再生装置は、少なくともフロント右チャンネル音声信号とフロント左チャンネル音声信号とサラウンド右チャンネル音声信号とサラウンド左チャンネル音声信号を生成する音声再生手段と、少なくともフロント右スピーカとフロント左スピーカとサラウンド右スピーカとサラウンド左スピーカが接続され音声再生手段で生成される各チャンネル音声信号を各スピーカに選択的に切り替えて供給するチャンネル信号切替手段と、チャンネル信号切替手段における切り替え動作を制御する制御手段とを備え、
チャンネル信号切替手段は、
フロント右チャンネル音声信号をフロント右スピーカに、フロント左チャンネル音声信号をフロント左スピーカに、サラウンド右チャンネル音声信号をサラウンド右スピーカに、サラウンド左チャンネル音声信号をサラウンド左スピーカに供給するように、
又は、フロント右チャンネル音声信号をサラウンド右スピーカに、フロント左チャンネル音声信号をフロント右スピーカに、サラウンド右チャンネル音声信号をサラウンド左スピーカに、サラウンド左チャンネル音声信号をフロント左スピーカに供給するように、
又は、フロント右チャンネル音声信号をフロント左スピーカに、フロント左チャンネル音声信号をサラウンド左スピーカに、サラウンド右チャンネル音声信号をフロント右スピーカに、サラウンド左チャンネル音声信号をサラウンド右スピーカに供給するように切り替え動作することを特徴とする。
【００１３】
請求項７に記載の発明は、請求項６に記載の音響再生装置において、前記音声再生手段はセンタチャンネル音声信号の生成、及び前記制御手段によるチャンネル信号切り替え動作制御に関連してフロント右チャンネル音声信号とフロント左チャンネル音声信号へのセンタチャンネル音声信号の振り分けを行い、前記チャンネル信号切替手段はセンタスピーカが接続され該センタスピーカへチャンネル音声信号を選択的に供給するように切り替え動作を行い、
前記チャンネル信号切替手段は、前記制御手段によるチャンネル信号切替手段の切り替え動作の制御に応じて、
センタスピーカにセンタチャンネル音声信号を供給するように、
又は、センタチャンネル音声信号が振り分けられたフロント右チャンネル音声信号をサラウンド右スピーカに、センタチャンネル音声信号が振り分けられたフロント左チャンネル音声信号をフロント右スピーカに供給するように、
又は、センタチャンネル音声信号が振り分けられたフロント右チャンネル音声信号をフロント左スピーカに、センタチャンネル音声信号が振り分けられたフロント左チャンネル音声信号をサラウンド左スピーカに供給するように切り替え動作することを特徴とする。
【００１４】
請求項８に記載の発明は、請求項７に記載の音響再生装置において、前記音声再生手段はサラウンドバックチャンネル音声信号の生成、及び前記制御手段によるチャンネル信号切り替え動作制御に関連してサラウンド右チャンネル音声信号とサラウンド左チャンネル音声信号へのサラウンドバックチャンネル音声信号の振り分けを行い、前記チャンネル信号切替手段はサラウンドバックスピーカが接続され該サラウンドバックスピーカへサラウンドバックチャンネル音声信号を選択的に供給するように切り替え動作を行い、
前記チャンネル信号切替手段は、前記制御手段によるチャンネル信号切替手段の切り替え動作の制御に応じて、
サラウンドバックチャンネル音声信号をサラウンドバックスピーカに供給するように、
又は、サラウンドバック音声信号が振り分けられたサラウンド右チャンネル音声信号をサラウンド左スピーカに、サラウンドバック音声信号が振り分けられたサラウンド左チャンネル音声信号をフロント左スピーカに供給するように、
又は、サラウンドバック音声信号が振り分けられたサラウンド右チャンネル音声信号をフロント右スピーカに、サラウンドバック音声信号が振り分けられたサラウンド左チャンネル音声信号をサラウンド右スピーカに供給するように切り替え動作することを特徴とする。
【００１５】
請求項９に記載の発明は、請求項１乃至８のいずれかに記載の音響再生装置において、前記音声再生手段は重低音チャンネル音声信号を生成し、前記チャンネル信号切替手段は重低音スピーカが接続され重低音スピーカへ重低音チャンネル音声信号の供給を行い、前記制御手段はチャンネル信号切替手段が重低音チャンネル音声信号を重低音スピーカに供給するように制御することを特徴とする。
【発明の効果】
【００１６】
本発明の音響再生装置によれば、各スピーカに出力するチャンネル音声信号を切り替えるようにしているので、リスナーが視聴方向を変えたとしても、各スピーカへの音声信号配線や各スピーカの設置位置の変更を行う必要がない。従って、使用するモニタやスクリーン等の画面位置に応じた適切な音声出力を得ることができ、使用するモニタやスクリーン等の変更を容易にすることができる。また、液晶プロジェクタとスクリーンとの距離を十分に確保するために、液晶プロジェクタをブラウン管モニタやメインユニットの近傍に設置した場合であっても、音声信号配線を長く引き回す必要がなくなり、映像信号配線が床を這うことによる部屋の美観への悪影響を最小限にすることができる。
また、このような音響再生装置において、サラウンドバックスピーカにスピーカリモコン受信手段を備えることにより、リスナーがサラウンドバックスピーカ側を向いているときであっても、センタスピーカ側に向きを変えることなくリモコン操作が可能となる。
【発明を実施するための最良の形態】
【００１７】
図１、図２、図３はいずれも本発明の異なる実施例にかかる音響再生装置を適用した音響再生システムの概略構成図であり、複数のスピーカ（フロント左スピーカ１３、センタスピーカ１４、フロント右スピーカ１５、サラウンド左スピーカ１６、サラウンド右スピーカ１８、重低音スピーカ１９等）と、これらのスピーカに音声信号を供給する音響再生装置としてのメインユニット２４、映像信号の再生手段である液晶プロジェクタ２１とブラウン管モニタ２２、及び液晶プロジェクタ２１から再生された映像を投影するスクリーン４４から構成される。
図４は音声を供給する上記メインユニット２４の内部の構成を示す概略図（サラウンドバックスピーカ１７の概略図を含む。）である。
入出力セレクタ２３は、エンコードされた映像信号と音声信号が複数入力され、後述する制御部４１により１つの音声信号を選択して後述するオーディオデコーダ２５に出力する。また、該入出力セレクタ２３は後述するビデオデコーダ４２でデコードされた映像信号をブラウン管モニタ２２あるいは液晶プロジェクタ２１に選択的に出力する。
ビデオデコーダ４２は、入出力セレクタ２３から選択的に出力されたエンコードされた映像信号をデコードし、該デコードした映像信号を入出力セレクタ２３に出力する。
オーディオデコーダ２５は、音声再生手段として機能し、入出力セレクタ２３から選択的に出力されエンコードされたマルチチャンネルの音声信号をデコードし、フロント左チャンネル音声信号、センタチャンネル音声信号、フロント右チャンネル音声信号、サラウンド左チャンネル音声信号、サラウンドバックチャンネル音声信号、サラウンド右チャンネル音声信号、重低音チャンネル音声信号の各チャンネルの音声信号を生成する。
パワーアンプ２６乃至３２は、オーディオデコーダ２５でデコードされた各チャンネルの音声信号を増幅する。
チャンネルスイッチ３３は、チャンネル信号切替手段として機能し、パワーアンプ２６乃至３２からの各チャンネルの音声信号の出力先を切り替える。
各スピーカ端子Ａ乃至Ｇ（３４乃至４０）は、各スピーカ（フロント左スピーカ１３、センタスピーカ１４、フロント右スピーカ１５、サラウンド左スピーカ１６、サラウンドバックスピーカ１７、サラウンド右スピーカ１８、重低音スピーカ１９）が接続されるスピーカ端子であり、図示しない音声信号ケーブルが接続されて各スピーカ（フロント左スピーカ１３、センタスピーカ１４、フロント右スピーカ１５、サラウンド左スピーカ１６、サラウンドバックスピーカ１７、サラウンド右スピーカ１８、重低音スピーカ１９）と、それぞれスピーカ端子Aからフロント左スピーカ１３に、スピーカ端子Ｂからセンタスピーカ１４に、スピーカ端子Ｃからフロント右スピーカ１５に、スピーカ端子Ｄからサラウンド左スピーカ１６に、スピーカ端子Ｅからサラウンドバックスピーカ１７に、スピーカ端子Ｆからサラウンド右スピーカ１８、スピーカ端子Ｇから重低音スピーカ１９の対応で、結線される。
制御信号スイッチ４４は、制御信号切替手段として機能し、前記チャンネルスイッチ３３の切り替えに対応して、リモコンから入力された制御信号を受信するリモコン受信手段として機能するメインユニットリモコン受光部４５と、サラウンドバックスピーカ１７に設けられリモコンから入力された制御信号を受信するスピーカリモコン受信手段として機能するスピーカリモコン受光部４６とから出力される制御信号を選択的に制御部４１に出力する。
制御部４１は、リスナー２０による図示しない操作部の操作に応じて、入出力セレクタ２３での音声信号及び映像信号の選択、オーディオデコーダ２５でのデコード処理、パワーアンプ２６乃至３２での増幅率、更にはチャンネルスイッチ３３及び制御信号スイッチ４４での切り替え動作を制御する。また、制御部４１に一度設定したデータはそのまま制御部４１に記録される。
第１の実施例
本実施例は、オーディオデコーダ２５がデコードするマルチチャンネル音声信号が、フロント左チャンネル音声信号、センタチャンネル音声信号、フロント右チャンネル音声信号、サラウンド左チャンネル音声信号、サラウンドバックチャンネル音声信号、サラウンド右チャンネル音声信号、重低音チャンネル音声信号から成る６．１チャンネルの音声信号の場合である。
まず、図１のように構成された音響再生システムにおいて、リスナー２０が図示しない操作部を操作することにより、ブラウン管モニタ２２によって映画等を試聴するモード（Ａ方向）を設定する場合について説明する。
初めに、リスナー２０による図示しない操作部の操作に応じて、制御部４１は入出力セレクタ２３においてブラウン管モニタ２２への出力モードを選択する。エンコードされた映像信号と音声信号の供給源の１つであるDVDプレーヤ４３（図では、供給源が１つしか示されていないが、複数の供給源が接続されても良い。）から出力された音声信号がオーディオデコーダ２５に入力され、その音声信号をデコードすることで生成された各音声信号（フロント左チャンネル音声信号、センタチャンネル音声信号、フロント右チャンネル音声信号、サラウンド左チャンネル音声信号、サラウンドバックチャンネル音声信号、サラウンド右チャンネル音声信号、重低音チャンネル音声信号）は各パワーアンプ２６乃至３２で増幅された後、チャンネルスイッチ３３に出力される。制御部４１はチャンネルスイッチ３３のスイッチをα側に接するように制御しており、チャンネルスイッチ３３からは、フロント左スピーカ１３には左フロントチャンネル音声信号、センタスピーカ１４にはセンタチャンネル音声信号、フロント右スピーカ１５にはフロント右チャンネル音声信号、サラウンド左スピーカ１６にはサラウンド左チャンネル音声信号、サラウンドバックスピーカ１７にはサラウンドバックチャンネル音声信号、サラウンド右スピーカ１８にはサラウンド右チャンネル音声信号、重低音スピーカ１９には重低音チャンネル音声信号が各々出力される。これにより、スピーカ１３乃至１９各々にリスナー２０がブラウン管モニタ２２によって映画等を試聴する場合に適したチャンネル音声信号を出力することができる。また、エンコードされている映像信号は入出力セレクタ２３からビデオデコーダ４２に出力され、該ビデオデコーダ４２でデコード処理される。そして、デコード処理された映像信号はブラウン管モニタ２２へと出力され、映像として表示される。
尚、制御部４１は制御信号スイッチ４４のスイッチをα側に接するように制御しており、制御信号スイッチ４４は、メインユニットリモコン受信部４５が受信した制御信号を出力し、制御部４１はこの制御信号に基づき前述した各種制御を行う。
次に、リスナー２０が図示しない操作部を操作することにより、液晶プロジェクタ２１によって映画等を試聴するモード（Ｂ方向）に切り替える場合について説明する。
【００１８】
初めに、リスナー２０による図示しない操作部の操作に応じて、制御部４１は入出力セレクタ２３を液晶プロジェクタ２１への出力モードに切り替える。この切り替えによりビデオデコーダ４２でデコードされた映像信号は入出力セレクタ２３から液晶プロジェクタ２１へと出力される。DVDプレーヤ４３から入力された音声信号は、オーディオデコーダ２５に入力され、該オーディオデコーダ２５においてデコード処理することで生成された各チャンネルの音声信号は各パワーアンプ２６乃至３２で増幅されて、チャンネルスイッチ３３に出力される。この場合、制御部４１は、チャンネルスイッチ３３のスイッチをα側からβ側に切り替える制御を行っており、この切り替えによって、フロント左スピーカ１３にはサラウンド右チャンネル音声信号、センタスピーカ１４にはサラウンドバックチャンネル音声信号、フロント右スピーカ１５にはサラウンド左チャンネル音声信号、サラウンド左スピーカ１６にはフロント右チャンネル音声信号、サラウンドバックスピーカ１７にはセンタチャンネル音声信号、サラウンド右スピーカ１８にはフロント左チャンネル音声信号、重低音スピーカ１９には重低音チャンネル音声信号が各々出力される。而して、スピーカ１３乃至１９各々に、リスナー２０が液晶プロジェクタ２１によって映画等を試聴する場合に適したチャンネルの音声信号を出力することができる。
また、制御部４１は、チャンネルスイッチ３３の制御と同時に、制御信号スイッチ４４のスイッチをα側からβ側に切り替える制御を行っており、この切り替えによって、制御信号スイッチ４４は、スピーカリモコン受信部４６が受信した制御信号を出力し、制御部４１はこの制御信号に基づき前述した各種制御を行う。これにより、リスナー２０はリスナーの視聴方向（Ｂ方向）の正面に位置するサラウンドバックスピーカ１７に設けられたスピーカリモコン受光部４６に向けて各スピーカに出力するチャンネル音声信号の切り替えに対応した制御信号を送信することができる。
【００１９】
このように、リスナー２０の視聴方向（Ａ方向若しくＢ方向）に応じて、各スピーカに出力するチャンネル音声信号を切り替えるようにしているので、リスナーが試聴する方向を１８０度変えても、各スピーカへの音声信号配線や各スピーカの設置位置の変更を行う必要がない。また、液晶プロジェク２１とスクリーン４４との距離を十分に確保するために、液晶プロジェクタ２１をブラウン管モニタ２２やメインユニット２４の近傍に設置した場合でも、音声信号配線を長く引き回す必要がなくなる。
上記第１の実施例においては、オーディオレコーダ２５がデコードするマルチチャンネル音声信号は、フロント左チャンネル音声信号、センタチャンネル音声信号、フロント右チャンネル音声信号、サラウンド左チャンネル音声信号、サラウンドバック音声信号、サラウンド右チャンネル音声信号、重低音チャンネル音声信号から成る６．１チャンネルの音声信号の場合であるが、この６．１チャンネルの音声信号からセンタチャンネル音声信号、サラウンドバックチャンネル音声信号を除いた４．１チャンネルの音声信号の場合であってもよい。この場合、メインユニット２４にセンタチャンネルスピーカ、サラウンドバックスピーカが結線されていなくともよく、リスナー２０によるリモコンからの制御信号の送信は、リスナー２０の視聴方向（Ａ方向）の正面に位置するメインユニット２４に設けられたメインユニットリモコン受光部４５に向けてのみ可能である。
【００２０】
第２の実施例
本実施例は、オーディオデコーダ２５がデコードするマルチチャンネル音声信号が、フロント左チャンネル音声信号、フロント右チャンネル音声信号、サラウンド左チャンネル音声信号、サラウンド右チャンネル音声信号、センタチャンネル音声信号である５．１チャンネルの音声信号の場合であり、サラウンドバックスピーカを備えていない。
【００２１】
図２のように構成された音響再生システムにおいて、リスナー２０が図示しない操作部を操作することにより、ブラウン管モニタ２１によって映画等を試聴するモード（Ａ方向）から、ファントムモードを用いて、液晶プロジェクタ２１によって映画等を試聴するモード（Ｂ方向）に切替える場合について、図５を用いて説明する。
【００２２】
まず、リスナー２０がブラウン管モニタ２１への出力モードを選択している状態では、上述と同様に、ＤＶＤプレーヤ４３から入力された映像信号はビデオデコーダ４２でデコードされ、入出力セレクタ２３を介してブラウン管モニタ２２に出力される。ＤＶＤプレーヤ４３から入力された音声信号はオーディオデコーダ２５でデコードされ、生成された各チャンネル音声信号がチャンネルスイッチ３３を介して、フロント左スピーカ１３にはフロント左チャンネル音声信号、センタスピーカ１４にはセンタチャンネル音声信号、フロント右スピーカ１５にはフロント右チャンネル音声信号、サラウンド左スピーカ１６にはサラウンド左チャンネル音声信号、サラウンド右スピーカ１８にはサラウンド右チャンネル音声信号、重低音スピーカ１９には重低音チャンネル音声信号が出力される。
【００２３】
ここで、図示しない操作部により、液晶プロジェクタ２１により視聴するモードに切り替え操作がされると、制御部４１は入出力セレクタ２３を液晶プロジェクタ２１への出力モードに切り替える。これにより、デコードされた映像信号は入出力セレクタ２３を介して液晶プロジェクタ２１へと出力されるようになる。また、ＤＶＤプレーヤ４３から入力される音声信号はオーディオデコーダ２５に入力され、該オーディオデコーダ２５は入力された音声信号をデコードして各音声信号（フロント左チャンネル音声信号、センタチャンネル音声信号、フロント右チャンネル音声信号、サラウンド左チャンネル音声信号、サラウンド右チャンネル音声信号、重低音チャンネル音声信号）を生成し、更にセンタチャンネル音声信号をフロント左チャンネル音声信号とフロント右チャンネル音声信号に振り分ける。このようにして生成、及び振り分けられた各音声信号は、各パワーアンプ２６乃至２９、３１、３２を介し、チャンネルスイッチ３３に入力される。制御部４１は、チャンネルスイッチ３３のスイッチをα側からβ側に切り替えており、フロント左スピーカ１３にはサラウンド右チャンネル音声信号、フロント右スピーカ１５にはサラウンド左チャンネル音声信号、サラウンド左スピーカ１６にはフロント右チャンネル音声信号とセンタチャンネル音声信号、サラウンド右スピーカ１８にはフロント左チャンネル音声信号とセンタチャンネル音声信号、重低音スピーカ１９には重低音チャンネル音声信号が出力される。このとき、センタチャンネル音声信号はサラウンド左スピーカ１６とサラウンド右スピーカ１８から出力されるので、リスナー２０にはあたかもサラウンド左スピーカ１６とサラウンド右スピーカ１８の間に仮想のセンタスピーカがあり、そこからセンタチャンネル音声信号が出力されているように感じられる（所謂ファントムモード）。而して、スピーカ１３乃至１６、１８、１９の各々に、リスナー２０が液晶プロジェクタ２１によって映画等を試聴する場合に適したチャンネルの各音声信号が出力される。
【００２４】
このように、デコードするマルチチャンネルの音声信号が５．１チャンネルであっても、
リスナー２０の視聴方向（Ａ方向若しくはＢ方向）に応じて、各スピーカに出力するチャンネル音声信号を切り替えるようにしているので、リスナーが試聴する方向を１８０度変えても、各スピーカへの音声信号配線や各スピーカの設置位置の変更を行う必要がない。また、液晶プロジェク２１とスクリーン４４との距離を十分に確保するために、液晶プロジェクタ２１をブラウン管モニタ２２やメインユニット２４の近傍に設置した場合でも、音声信号配線を長く引き回す必要がなくなる。
【００２５】
第３の実施例
本実施例は、オーディオデコーダ２５がデコードするマルチチャンネル音声信号が、フロント左チャンネル音声信号、センタチャンネル音声信号、フロント右チャンネル音声信号、サラウンド左チャンネル音声信号、サラウンドバックチャンネル音声信号、サラウンド右チャンネル音声信号、重低音チャンネル音声信号から成る６．１チャンネルの音声信号の場合である。
【００２６】
図３のように構成された音響再生システムにおいて、リスナー２０が図示しない操作部を操作することにより、ブラウン管モニタ２２によって映画等を試聴するモード（Ａ方向）から、ファントムモードを用いて、液晶プロジェクタ２１によって映画等を試聴するモードに（Ｃ方向）に切り替える場合について、図４を用いて説明する。
まず、リスナー２０がブラウン管モニタ２２への出力モードを選択している状態では、上述と同様に、ＤＶＤプレーヤ４３から入力された映像信号はビデオデコーダ４２でデコードされ、入出力セレクタ２３を介してブラウン管モニタ２２に出力される。ＤＶＤプレーヤ４３から入力された音声信号はオーディオデコーダ２５でデコードされ、生成された各チャンネル音声信号がチャンネルスイッチ３３を介して、フロント左スピーカ１３にはフロント左チャンネル音声信号、センタスピーカ１４にはセンタチャンネル音声信号、フロント右スピーカ１５にはフロント右チャンネル音声信号、サラウンド左スピーカ１６にはサラウンド左チャンネル音声信号、サラウンドバックスピーカ１７にはサラウンドバック音声信号、サラウンド右スピーカ１８にはサラウンド右チャンネル音声信号、重低音スピーカ１９には重低音チャンネル音声信号が出力される。
【００２７】
ここで、図示しない操作部により、液晶プロジェクタ２１により視聴するモード（Ｃ方向）に切り替え操作がされると、制御部４１は入出力セレクタ２３を液晶プロジェクタ２１への出力モードに切り替える。これにより、デコードされた映像信号は入出力セレクタ２３を介して液晶プロジェクタ２１へと出力されるようになる。また、ＤＶＤプレーヤ４３から入力される音声信号がオーディオデコーダ２５に入力され、該オーディオデコーダ２５は各音声信号をデコードして各音声信号（フロント右チャンネル音声信号、センタチャンネル音声信号、フロント左チャンネル音声信号、サラウンド左チャンネル音声信号、サラウンドバックチャンネル音声信号、サラウンド右チャンネル音声信号、重低音チャンネル音声信号）を生成し、更に、センタチャンネル音声信号をフロント左チャンネル音声信号とフロント右チャンネル音声信号に、サラウンドバックチャンネル音声信号をサラウンド左チャンネル音声信号とサラウンド右チャンネル音声信号に振り分ける。このようにして生成、及び振り分けられた各音声信号は、各パワーアンプ２６乃至３２を介し、チャンネルスイッチ３３に入力される。制御部４１は、チャンネルスイッチ３３のスイッチをα側からγ側に切り替えており、フロント左スピーカ１３にはサラウンド左チャンネル音声信号とサラウンドバックチャンネル音声信号、フロント右スピーカ１５にはフロント左チャンネル音声信号とセンタチャンネル音声信号、サラウンド左スピーカ１６にはサラウンド右チャンネル音声信号とサランドバックチャンネル音声信号、サラウンド右スピーカ１８にはフロント右チャンネル音声信号とセンタチャンネル音声信号、重低音スピーカ１９には重低音チャンネル音声信号が出力される。このとき、ファントムモードの状態となり、センタチャンネル音声信号はフロント右スピーカ１５とサラウンド右スピーカ１８から出力されるので、リスナー２０はあたかもフロント右スピーカ１５とサラウンド右スピーカ１８の間に仮想のセンタスピーカがあり、そこからセンタチャンネル音声信号が出力されているように感じられる。また、サラウンドバックチャンネル信号はフロント左スピーカ１３とサラウンド左スピーカ１６から出力されるので、リスナー２０はあたかもフロント左スピーカ１３とサラウンド左スピーカ１６の間に仮想のサラウンドバックスピーカがあり、そこからサラウンドバックチャンネル音声信号が出力されているように感じられる。而して、スピーカ１３乃至１９の各々に、リスナー２０が液晶プロジェクタ２１によって映画等を試聴する場合に適したチャンネルの各音声信号が出力される。
このように、各スピーカに出力するチャンネル音声信号を切り替えるようにしているので、視聴方向（Ａ方向若しくＣ方向）を９０度換えたとしても、各スピーカへの音声信号配線や各スピーカの設置位置の変更を行う必要がない。
【００２８】
図３では、リスナー２０の視聴方向を、Ａ方向からＣ方向へと９０度変える場合について説明したが、Ｃ方向とは逆の方向であるＤ方向にスクリーン４４が設置され、Ａ方向からＤ方向に視聴方向を変える場合であっても、同様に各チャンネルの音声信号の出力先であるスピーカを切り替えることで対応が可能である。即ち、Ａ方向からＤ方向に視聴方向を変えるときには、制御部４１による制御によって、オーディオデコーダ２５は入力される各音声信号をデコードし、各音声信号（フロント右チャンネル音声信号、センタチャンネル音声信号、フロント左チャンネル音声信号、サラウンド左チャンネル音声信号、サラウンドバックチャンネル音声信号、サラウンド右チャンネル音声信号、重低音チャンネル音声信号）を生成する。更に、オーディオデコーダ２５は、センタチャンネル音声信号をフロント左チャンネル音声信号とフロント右チャンネル音声信号に、サラウンドバックチャンネル音声信号をサラウンド左チャンネル音声信号とサラウンド右チャンネル音声信号に振り分ける。また、制御部４１は、フロント左スピーカ１３にはフロント右チャンネル音声信号とセンタチャンネル音声信号、フロント右スピーカ１５にはサラウンド右チャンネル信号とサラウンドバックチャンネル音声信号、サラウンド左スピーカ１６にはフロント左チャンネル音声信号とセンタチャンネル音声信号、サラウンド右スピーカ１８にはサラウンド左チャンネル音声信号とサラウンドバックチャンネル音声信号を出力するように、チャンネルスイッチ３３の切り替え制御を行う。
【００２９】
これら実施例においては、オーディオデコーダ２５がデコードするマルチチャンネル音声信号が、フロント左チャンネル音声信号、センタチャンネル音声信号、フロント右チャンネル音声信号、サラウンド左チャンネル音声信号、サラウンドバックチャンネル音声信号、サラウンド右チャンネル音声信号、重低音チャンネル音声信号から成る６．１チャンネルの音声信号の場合であるが、この６．１チャンネル音声信号からセンタチャンネル音声信号、サラウンドバックチャンネル音声信号を除いた４．１チャンネルの音声信号の場合であってもよく、この場合、メインユニット２４にセンタチャンネルスピーカ、サラウンドバックスピーカが結線されていなくともよい。また、６．１チャンネル音声信号からサラウンドバックチャンネル音声信号のみを除いた５．１チャンネルの音声信号の場合であってもよく、この場合、メインユニット２４にサラウンドバックスピーカが結線されていなくともよい。
【図面の簡単な説明】
【００３０】
【図１】第１の実施例にかかる６．１チャンネルの音響再生システムの概略構成図である。
【図２】第２の実施例にかかる５．１チャンネルの音響再生システムの概略構成図である。
【図３】第３の実施例にかかる６．１チャンネルの音響再生システムの概略構成図である。
【図４】第１、３の実施例にかかるマルチチャンネルの音声信号を供給するメインユニットの内部構成を示す概略図である。
【図５】第２の実施例にかかるマルチチャンネルの音声信号を供給するメインユニットの内部構成を示す概略図である。
【図６】従来の６．１チャンネルの音響再生システムの一例を示す概略構成図である。
【図７】従来の６．１チャンネルの音響再生システムの他の例を示す概略構成図である。
【符号の説明】
【００３１】
１２  フロント左スピーカ
１３  センタスピーカ
１４  フロント右スピーカ
１５  サラウンド左スピーカ
１６  サラウンドバックスピーカ
１７  サラウンド右スピーカ
１８  重低音スピーカ
２５  オーディオデコーダ
３３  チャンネルスイッチ
４１  制御部
４４  制御信号スイッチ
４５  メインユニットリモコン受光部
４６  スピーカリモコン受光部
【図１】
2005027295.tif 000003
【図２】
2005027295.tif 000004
【図３】
2005027295.tif 000005
【図４】
2005027295.tif 000006
【図５】
2005027295.tif 000007
【図６】
2005027295.tif 000008
【図７】
2005027295.tif 000009